(57)【要約】【課題】  受信番組のＣＭ部をスキップさせずに再生し、且つ本編部を中断することなく再生する記録再生装置を実現する。【解決手段】  記録媒体に分割して記録される本編部の記録開始位置及びＣＭ部の記録開始位置を検出する記録位置検出手段１４と、ＣＭ部を選択して再生させた後に、複数に分割された本編部のみを連続して再生させる再生順を制御するための再生制御情報を生成する再生制御データ生成手段１６と、再生制御情報に制御され、記録媒体に記録した番組のうちＣＭ部をスキップさせずに再生する再生手段１２１とを備えて記録再生装置を構成した。【選択図】      図１
2008182399.tif 000002
【特許請求の範囲】
【請求項１】
放送局から送信される複数の本編部及び複数のＣＭ部と、前記複数の本編部と前記複数のＣＭ部との識別情報が送信される場合には前記識別情報とからなる番組を記録媒体に記録する記録手段と、
前記記録された番組を再生する再生手段と、
前記記録媒体に前記識別情報が記録されている場合には前記識別情報を基に前記複数の本編部と前記複数のＣＭ部との記録開始位置を検出する一方、前記識別情報が記録されていない場合には前記再生手段で再生された前記番組の音声信号に複数存在する無音部同士の時間間隔を検出し、検出された時間間隔が所定の時間間隔の整数倍である場合には前記所定の時間間隔の整数倍の時間間隔を有する番組部分をＣＭ部として前記記録開始位置を検出する記録位置検出手段と、
前記記録された番組における複数の本編部と複数のＣＭ部のうち、前記記録位置検出手段で検出されたＣＭ部の各記録開始位置情報に基づき前記複数のＣＭ部の全てを連続的に再生させ、その後に前記本編部の各記録開始位置情報に基づいて前記複数の本編部を連続的に再生させるようにするための再生制御情報を生成する再生制御データ生成手段と、
を備えたことを特徴とする記録再生装置。
【請求項２】
放送局から送信される複数の本編部及び複数のＣＭ部と、前記複数の本編部と前記複数のＣＭ部との識別情報が送信される場合には前記識別情報とからなる番組を記録媒体に記録する記録手段と、
前記記録された番組を再生する再生手段と、
前記記録媒体に前記識別情報が記録されている場合には前記識別情報を基に前記複数の本編部と前記複数のＣＭ部との記録開始位置を検出する一方、前記識別情報が記録されていない場合には前記再生手段で再生された前記番組の音声信号に複数存在する無音部同士の時間間隔を検出し、検出された時間間隔が所定の時間間隔の整数倍である場合には前記所定の時間間隔の整数倍の時間間隔を有する番組部分をＣＭ部として前記記録開始位置を検出する記録位置検出手段と、
前記ＣＭ部に含まれる複数のＣＭ要素の中で、映像のレベル変化又は音声のレベル変化が同一なものが含まれる場合に、同一ＣＭ要素であるとして検出するＣＭ内容検出手段と、
前記記録された番組における複数のＣＭ部のうち、前記ＣＭ内容検出手段により検出された前記同一ＣＭ要素が複数存在する場合に、前記ＣＭ内容検出手段により検出された前記同一ＣＭ要素のうち検出された数未満の数を再生し、それ以外の同一ＣＭ要素を再生しないようにして前記記録位置検出手段で検出されたＣＭ部の各記録開始位置情報に基づき前記複数のＣＭ部の全てを連続的に再生させ、その後に前記本編部の各記録開始位置情報に基づいて前記複数の本編部を連続的に再生させるようにするための再生制御情報を生成する再生制御データ生成手段と、
を備えたことを特徴とする記録再生装置。
【請求項３】
請求項１又は２に記載の記録再生装置であって、
前記再生制御情報は、前記記録手段で記録された前記複数のＣＭ部の再生を最初に行わせる場合には、早送り或いはスキップさせることなく連続的に行わせ、前記再生を２回目以降に行わせる場合には、前記複数のＣＭ部の全てを早送り或いはスキップを可能として連続的に行わせる情報であることを特徴とする記録再生装置。
【発明の詳細な説明】
【技術分野】
【０００１】
本発明は、複数に分割された本編部と本編部との間にＣＭが挿入されて受信される番組を記録媒体に記録した後に、前記記録媒体から分割されて受信された本編部を連続的に再生する記録再生装置に関する。
【背景技術】
【０００２】
最近になり、ランダムアクセス可能な記録媒体に受信される番組を記録した後に、記録番組のうち選択される番組部分をアクセスしながら再生するハ−ドディスク記録再生装置、やＤＶＤ（Digital versatile Disc）記録再生装置が市場導入されるようになってきた。
一方、番組の本編部に挿入されるＣＭ（commercial message）は、ＣＭスポンサーが高額な料金を支払って放送される番組部分であり、使用者による視聴が期待されている。一方、使用者は本編部が中断されて受信されるＣＭをスキップした視聴を希望している。ＣＭが使用者により視聴されると共に、中断されない本編部を再生可能な記録再生装置ができることは好ましい。
【０００３】
特許文献１には、ＣＭの広告としての効果を低下させずに、ＣＭデータを選択的に再生できるようにしたＣＭデータ再生装置が開示されている。その装置は通信衛星を介して受信されるディジタル放送データに付随されるデータ付属情報に従って、ディジタル放送データのうち番組データとＣＭデータとを分離して記録した後に、受信される番組データにＣＭデータを挿入して再生する様にしたＣＭデータ再生装置が開示されている。
【特許文献１】特開２０００−１６５３３５号公報
【発明の開示】
【発明が解決しようとする課題】
【０００４】
しかしながら、特許文献１に開示されているＣＭデータ再生装置では、ＰＳＩ（Program Specific Information）による識別符号が付されたパケット化データとして放送される番組の本編部、及びＣＭ部を個別に記録媒体に記録した後、付加情報により識別される本編部の記録位置にＣＭ部を挿入して再生するようにしている。通常の放送番組は、ＣＭ部をスキップした本編部のみの録画が容易になされないように、パケット化された番組データに識別子を付したり、本編部とＣＭ部とを識別するためのＰＳＩ情報を送信しないようにしている。即ち、ＣＭ部が本編部と共に受信され、本編部に挿入されて視聴されることが前提とされて番組信号の送信がなされる。現在の商業放送システムにおける、本編部とＣＭ部とを識別するための識別情報を有しない番組を受信し、使用者の操作に応じて本編部のみを再生可能とする記録再生装置を実現することはできなかった。
【０００５】
そこで、本発明は、上記のような問題点を解消するためになされたもので、本編部にＣＭ部が挿入されて受信される受信番組のＣＭ部を再生させると共に、本編部はＣＭ挿入などで中断されることなく、連続して再生することを可能とする記録再生装置を提供することを目的とする。
【課題を解決するための手段】
【０００６】
本願発明における第１の発明は、放送局から送信される複数の本編部及び複数のＣＭ部と、前記複数の本編部と前記複数のＣＭ部との識別情報が送信される場合には前記識別情報とからなる番組を記録媒体に記録する記録手段と、前記記録された番組を再生する再生手段と、前記記録媒体に前記識別情報が記録されている場合には前記識別情報を基に前記複数の本編部と前記複数のＣＭ部との記録開始位置を検出する一方、前記識別情報が記録されていない場合には前記再生手段で再生された前記番組の音声信号に複数存在する無音部同士の時間間隔を検出し、検出された時間間隔が所定の時間間隔の整数倍である場合には前記所定の時間間隔の整数倍の時間間隔を有する番組部分をＣＭ部として前記記録開始位置を検出する記録位置検出手段と、前記記録された番組における複数の本編部と複数のＣＭ部のうち、前記記録位置検出手段で検出されたＣＭ部の各記録開始位置情報に基づき前記複数のＣＭ部の全てを連続的に再生させ、その後に前記本編部の各記録開始位置情報に基づいて前記複数の本編部を連続的に再生させるようにするための再生制御情報を生成する再生制御データ生成手段と、を備えたことを特徴とする記録再生装置を提供する。
第２の発明は、放送局から送信される複数の本編部及び複数のＣＭ部と、前記複数の本編部と前記複数のＣＭ部との識別情報が送信される場合には前記識別情報とからなる番組を記録媒体に記録する記録手段と、前記記録された番組を再生する再生手段と、前記記録媒体に前記識別情報が記録されている場合には前記識別情報を基に前記複数の本編部と前記複数のＣＭ部との記録開始位置を検出する一方、前記識別情報が記録されていない場合には前記再生手段で再生された前記番組の音声信号に複数存在する無音部同士の時間間隔を検出し、検出された時間間隔が所定の時間間隔の整数倍である場合には前記所定の時間間隔の整数倍の時間間隔を有する番組部分をＣＭ部として前記記録開始位置を検出する記録位置検出手段と、前記ＣＭ部に含まれる複数のＣＭ要素の中で、映像のレベル変化又は音声のレベル変化が同一なものが含まれる場合に、同一ＣＭ要素であるとして検出するＣＭ内容検出手段と、前記記録された番組における複数のＣＭ部のうち、前記ＣＭ内容検出手段により検出された前記同一ＣＭ要素が複数存在する場合に、前記ＣＭ内容検出手段により検出された前記同一ＣＭ要素のうち検出された数未満の数を再生し、それ以外の同一ＣＭ要素を再生しないようにして前記記録位置検出手段で検出されたＣＭ部の各記録開始位置情報に基づき前記複数のＣＭ部の全てを連続的に再生させ、その後に前記本編部の各記録開始位置情報に基づいて前記複数の本編部を連続的に再生させるようにするための再生制御情報を生成する再生制御データ生成手段と、を備えたことを特徴とする記録再生装置を提供する。
第３の発明は、第１又は第２の発明に記載の記録再生装置であって、前記再生制御情報は、前記記録手段で記録された前記複数のＣＭ部の再生を最初に行わせる場合には、早送り或いはスキップさせることなく連続的に行わせ、前記再生を２回目以降に行わせる場合には、前記複数のＣＭ部の全てを早送り或いはスキップを可能として連続的に行わせる情報であることを特徴とする記録再生装置提供する。
【発明の効果】
【０００７】
本発明によれば、放送局から送信される複数の本編部及び複数のＣＭ部と、複数の本編部と複数のＣＭ部との識別情報が送信される場合には識別情報とからなる番組を記録媒体に記録する記録手段と、記録された番組を再生する再生手段と、記録媒体に識別情報が記録されている場合には識別情報を基に複数の本編部と複数のＣＭ部との記録開始位置を検出する一方、識別情報が記録されていない場合には再生手段で再生された番組の音声信号に複数存在する無音部同士の時間間隔を検出し、検出された時間間隔が所定の時間間隔の整数倍である場合には所定の時間間隔の整数倍の時間間隔を有する番組部分をＣＭ部として記録開始位置を検出する記録位置検出手段と、記録された番組における複数の本編部と複数のＣＭ部のうち、記録位置検出手段で検出されたＣＭ部の各記録開始位置情報に基づき複数のＣＭ部の全てを連続的に再生させ、その後に本編部の各記録開始位置情報に基づいて複数の本編部を連続的に再生させるようにするための再生制御情報を生成する再生制御データ生成手段とを備えた格別な構成があるので、本編部にＣＭ部が挿入されて受信される受信番組のＣＭ部をスキップせずに再生させると共に、本編部はＣＭ挿入などで中断されることなく、連続して再生することを可能とする記録再生装置を実現できる。
【発明を実施するための最良の形態】
【０００８】
以下に本発明の実施例に係る記録再生装置について図１〜図８を用いて説明する。
図１は、本発明の実施に係る記録再生装置の構成例を示すブロック図である。図２は、本発明の実施に係る記録再生装置の細部の構成例を示すブロック図（その１）である。図３は、本発明の実施に係る記録再生装置の細部の構成例を示すブロック図（その２）である。図４は、本発明の実施に係る記録再生装置の動作例を説明するための図である。図５は、本発明の実施に係る記録再生装置の細部の応用構成例を示すブロック図（その１）である。図６は、本発明の実施に係る記録再生装置の応用動作例を説明するための図である。図７は、本発明の実施に係る記録再生装置の細部の応用構成例を示すブロック図（その２）である。図８は、本発明の実施に係る記録再生装置の細部の応用構成例を示すブロック図（その３）である。
【０００９】
その記録再生装置は本編部にＣＭ部が挿入されて受信される受信番組のＣＭ部をスキップせずに再生させると共に、本編部はＣＭ挿入などで中断されることなく、連続して再生することを可能とする装置を実現するという目的を、放送局から送信される複数の本編部及び複数のＣＭ部と、複数の本編部と複数のＣＭ部との識別情報が送信される場合には識別情報とからなる番組を記録媒体に記録する記録手段と、記録された番組を再生する再生手段と、記録媒体に識別情報が記録されている場合には識別情報を基に複数の本編部と複数のＣＭ部との記録開始位置を検出する一方、識別情報が記録されていない場合には再生手段で再生された番組の音声信号に複数存在する無音部同士の時間間隔を検出し、検出された時間間隔が所定の時間間隔の整数倍である場合には所定の時間間隔の整数倍の時間間隔を有する番組部分をＣＭ部として記録開始位置を検出する記録位置検出手段と、記録された番組における複数の本編部と複数のＣＭ部のうち、記録位置検出手段で検出されたＣＭ部の各記録開始位置情報に基づき複数のＣＭ部の全てを連続的に再生させ、その後に本編部の各記録開始位置情報に基づいて複数の本編部を連続的に再生させるようにするための再生制御情報を生成する再生制御データ生成手段とを備えるようにして実現した。
【００１０】
記録再生装置の構成について述べる。
図１に示す記録再生装置１は、アンテナで受信される信号を復調するチューナ１１、データ記録部１２、符号化信号を復号化するデコーダ１３、番組信号が本編部であるかＣＭ部であるかを検出する番組情報検出部１４、検出された番組情報の頭部に付すチャプタを生成するチャプタ生成部１５、記録信号の再生順を制御するデータを生成する再生制御データ生成部１６、及び記録再生装置の動作制御を行う制御部１９より構成される。データ記録部１２は符号化された番組の本編部及びＣＭ部のデータを記録する番組データ記録再生器１２１、及び再生制御データを記録する制御データ記録器１２２より構成される。
図２に示す記録再生装置１の要部である再生制御データ生成部１６は、シーン情報生成器１６１、ＣＭシーン検出器１６２、及び再生順データ生成器１６３より構成される。
図３に示す記録再生装置１の要部である制御部１９は、再生順データ取得器１９１、特殊再生領域管理器１９２、操作命令検出器１９４、特殊再生命令検出器１９５、特殊再生位置管理器１９６、標準再生命令検出器１９７、及び再生命令発行器１９８より構成される。
図５に示す記録再生装置１の応用例の要部である再生制御データ生成部１６ａは、図２に示した再生制御データ生成部１６に比しＣＭＩＤ（commercial message Identification）生成器１６４及びＣＭＩＤ比較器１６５が多く備えられいる。
図７に応用例として示す記録再生装置１ａは、図１に示した記録再生装置１に比し、制御部１９の代わりに制御部１９ａ、データ記録部１２の代わりにデータ記録部１２ａ、そして番組データ記録再生器１２１の代わりに番組データ記録再生器１２１ａが備えられている。
図８に示す記録再生装置１の応用例の要部である制御部１９ａは、図３に示した制御部１９に比し、再生位置検出器１９３が多く配置される一方、特殊再生領域管理器１９２の代わりに特殊再生領域管理器１９２ａが備えられている。
【００１１】
記録再生装置の動作について述べる。
まず、アンテナで受電される放送信号はチューナ１１で復調され、受信信号が得られる。放送信号がディジタル信号の場合、受信信号は例えばＭＰＥＧ（moving picture experts group）のシステム規格で標準化されているＴＳ（Transport Stream）信号である。データ記録部１２の番組データ記録再生器１２１はＴＳ信号を記録する。ＴＳ信号は動画パケット、音声パケット、及び補助情報パケットより構成されており、それらのパケット信号を図示しない記録媒体に記録する。番組情報検出部１４は補助情報パケットに含まれるＰＳＩ（Program Specific Information）を検出する。ＰＳＩに、動画パケット及び音声パケットで受信される番組信号が本編部であるか又はＣＭ（commercial message）部であるかの情報が含まれる場合は、記録中の信号を本編部又はＣＭ部として検出する。
チャプタ生成部１５はＣＭ部として検出された番組信号の最初の部分を識別するためのチャプタ信号を生成する。再生制御データ生成部１６は、チャプタ生成部１５で生成されたチャプタ信号を基にしてＣＭ部の信号を最初に再生させ、その後に本編部の信号を再生させるための再生制御データ（以降、再生制御データをプレイリストと称することがある。）を生成する。データ記録部１２の制御データ記録器１２２は生成されたプレイリストを記録する。
【００１２】
使用者により例えばリ図示しないリモコンキーが操作され、番組データ記録再生器１２１で記録した番組の再生命令が発行された場合に、制御部１９は制御データ記録器１２２に記録される再生操作に係る番組のプレイリストを取得する。次に、制御部１９は番組の本編部に挿入されたＣＭ部のみを再生する。全てのＣＭ部が再生された後に番組の本編部を続けて再生する。即ち、その番組中に放送された全てのＣＭが再生された後に中断されることのない本編部が再生される。再生して得られたＭＰＥＧ−２ビデオなどの圧縮符号化された番組信号はデコーダ１３により復号化される。復号化して得られた動画信号及び音声信号は図示しないモニタＴＶに供給され、表示発音される。使用者によりＣＭ部、及びＣＭ挿入などで中断されて受信された本編部が、中断されることなく表示され、視聴される。
ここで、制御部１９はＣＭ部再生期間中の特殊再生制御を禁止する機能を有している。仮に、ＣＭ再生中に早送り再生やスキップ再生などのボタン操作がなされた場合であっても、ＣＭ部は標準速度で再生される。本編部における特殊再生はボタン操作に従ってなされる。
【００１３】
ここで、放送がディジタル放送の場合であっても、受信される番組に本編部であるか又はＣＭ部であるかを識別する識別情報が含まれない場合は、番組情報検出部１４は受信して記録された信号が本編部であるか又はＣＭ部であるかを検出する必要がある。放送信号がアナログの場合も同様であり、例えば特定の走査線期間に番組が本編部であるか又はＣＭ部であるかを識別する情報が多重されない場合に、番組情報検出部１４は受信信号が本編部であるかＣＭ部であるかを検出する必要がある。番組識別情報が送信されない場合のＣＭ部識別法として、例えば動画信号に付随される音声信号を用いて識別する方法がある。番組情報検出部１４は記録された音声モードがモノラル音声であるか、多重音声であるか、又はステレオ音声であるかを識別する。音声モードが例えば１５秒の整数倍で変更されるステレオ音声モードとして受信される場合には、そのステレオ音声モードの部分をＣＭ部であるとして検出する。また、本編部がステレオ音声モードで受信される場合には１５秒の整数倍ごとに例えば数百ｍ秒存在する無音部が繰り返して検出される部分をＣＭ部であるとして検出する。さらには、動画信号に付随されて送信される文字データや図形データを用い、そのデータ形式の本編部とＣＭ部とでの異なりを検出することにより、本編部とＣＭ部との判定を行う方法もある。
【００１４】
また、番組データ記録再生器１２１に記録される動画、音声信号は例えばＭＰＥＧ方式などで符号化された信号を用いるとして述べた。アナログ放送受信の場合は、受信して得られる映像信号及び音声信号をディジタル信号に変換した後に符号化し、符号化して得られる符号化信号を図示しない記録媒体に記録する。媒体へのディジタル記録は一般的な技術が用いられる。
【００１５】
次に、詳細に説明する。
図２を参照して再生制御データ生成部１６についてさらに述べる。
シーン情報生成器１６１には、番組情報検出部１４で検出され、チャプタ生成部１５でチャプタフラグを付すことが示された、分割された本編部の頭部及びＣＭ部の頭部に付されるチャプタフラグの時刻情報が入力される。シーン情報生成器１６１はチャプタフラグの時刻情報を基に、そのチャプタから開始される番組部分は分割された本編部であるか、又はＣＭ部であるかを認識する。再生順データ生成器１６３は、ＣＭシーン検出器１６２で検出されたＣＭを最初に全て再生し、その後に分割された本編部を順に再生するためのプレイリストを生成する。プレイリストは制御データ記録器１２２に供給され、そこに記録される。
【００１６】
図３を参照し制御部１９について述べる。
まず、再生順データ取得器１９１は、制御データ記録器１２２に記録されるプレイリストを取得する。特殊再生領域管理器１９２は、番組データ記録再生器１２１に記録される番組を再生する際の領域管理を行う。即ち、再生順データ取得器１９１で取得されたプレイリストを参照し、再生する際に早送りやスキップなどの特殊再生を禁止する領域管理情報を生成し、保持する。
【００１７】
操作命令検出器１９４は、使用者により図示しない操作ボタンが操作された際の操作情報を取得する。標準再生命令検出器１９７は、ボタン操作が再生、スロー、及び一時停止などの通常再生に係る操作である場合に、その検出された操作情報を再生命令発行器１９８に伝送する。再生命令発行器１９８は番組データ記録再生器１２１に対して記録された番組の再生に係る命令を発行する。
【００１８】
特殊再生命令検出器１９５は、操作命令検出器１９４で検出された操作が特殊再生命令である場合に、その命令を検出する。特殊再生位置管理器１９６は、特殊再生領域管理器１９２の情報を参照し、特殊再生がなされる領域が本編部の領域であるか又はＣＭ部の領域であるかを検出し、再生領域がＣＭ部である場合には早送りやスキップなどの特殊再生の制御命令を標準再生命令に替えて出力する。再生命令発行器１９８は標準再生命令を番組データ記録再生器１２１に対して発行する。操作により本編部の特殊再生はなされるが、ＣＭ部は標準速度による再生がなされる。
【００１９】
図４を参照し分割された本編部の間に挿入されたＣＭ部を最初に再生するための番組部分の並べ替えについて述べる。
同図（Ａ）は、受信される番組の本編部は本編部１、本編部２、本編部３、本編部４として分割されており、本編部１の手前にＣＭ１が受信され、本編部１と本編部２との間でＣＭ２が受信され、同様にしてＣＭ３、ＣＭ４が受信されることを示している。チャプタ生成部１５では、ＣＭ１、ＣＭ２、ＣＭ３、及びＣＭ４の最初の部分にチャプタ再生をするためのチャプタが付されている。同図（Ｂ）は再生制御データ生成部１６で作成されたプレイリストにより規定される再生順を示している。最初にＣＭ１〜ＣＭ４を再生し、その後に本編１〜本編４を再生するプレイリストである。ここで、チャプタは各ＣＭ１〜ＣＭ４の最初に付されている。特殊再生位置管理器１９６は、記録された番組の初回の再生の場合はＣＭ１の最初からのみ再生させるようにさせ、ＣＭ２〜ＣＭ４から開始される頭だし再生を禁止させるように動作させる。
≪再生制御データ生成部の応用例≫
【００２０】
図５、図６を参照し、再生制御データ生成部の応用例について述べる。
同一内容のＣＭが２回程度まで続けて受信されることは従来の放送受信でなされている。一般的に、２回程度の繰り返し再生はそれほどの違和感を持って視聴されない。しかし、３回を越えて同一ＣＭが視聴される場合は、好ましくない印象を与えると考えられる。番組本編部中に分割されて配置されるＣＭ部をまとめて再生する場合は同一内容のＣＭが複数回連続して再生されることもある。同一内容ＣＭの連続再生回数は、ＣＭを提供するスポンサーにより決定させる仕組みを持たせ、ＣＭ提示により生じる効果が縮減されないようにする必要がある。
【００２１】
シーン情報生成器１６１及びＣＭシーン検出器１６２に、受信されるＣＭに同一内容又は酷似する内容のものが含まれる場合はＣＭが繰り返して受信されるとして検出する機能を備える。シーン情報生成器１６１は、例えばＣＭ部映像信号の輝度レベルの変化情報を得る。ＣＭ特定用の情報は、映像信号に含まれる被写体の輪郭抽出、付随される音声信号のレベル変化、乃至は音声信号のスペクトラム変化などの推移情報をシーン情報として取得する。ＣＭシーン検出器１６２は、受信されるＣＭごとにシーン情報を比較し、似通ったパターンのシーン情報が存在するか否かを検出する。同一又は酷似するシーン情報が検出される場合は、同一内容のＣＭであるとして検出する。
【００２２】
図５に示す再生制御データ生成部は、同一内容のＣＭが複数回受信される場合に、２回目以降に受信される同一内容のＣＭ再生を省くものである。シーン情報生成器１６１は図２に示したシーン情報生成器１６１と同一であり、受信されるＣＭごとにシーン情報を生成する。ＣＭＩＤ生成器１６４は、異なるシーン情報を有するＣＭごとに識別符号であるＣＭＩＤを付与する。同一、又は酷似するシーン情報に対しては同一のＣＭＩＤを付す。ＣＭＩＤ比較器１６５は同一のＣＭＩＤを有するＣＭが検出された場合には一方のみのＣＭを再生させるための比較信号を再生順データ生成器１６３に出力する。
【００２３】
図６（Ａ）において、ＣＭ１の期間にＣＭａ、ＣＭｂ、及びＣＭｃの各ＣＭが受信され、ＣＭ２の期間にＣＭａ、ＣＭｄ、及びＣＭｅの各ＣＭが受信されることを示している。ＣＭＩＤ生成器１６４は、ＣＭａ〜ＣＭｅにＩＤ１〜ＩＤ５の識別符号を付す。ＣＭ２の最初に受信されるＣＭａは、ＣＭ１の最初に受信されるＣＭａと同一のＩＤ１が付される。
図６(Ｂ)は再生順データ生成器１６３により生成されるプレイリストである。ＣＭ１の期間にはＣＭａ〜ＣＭｃが再生され、ＣＭ２の期間にはＣＭｄ及びＣＭｅが再生される。ＣＭごとにＣＭＩＤを付すことにより同一ＣＭは１回のみ再生を行うようにしたプレイリストを容易に作成出来る。なお、同一ＣＭに対する再生回数の設定は、ＣＭスポンサーの意向を再生回数制御信号として送信するようにし、受信側では再生回数を調整しても良いとされる制御信号が受信された場合にのみ、重複するＣＭの再生回数を低減させても良い。
≪再生制御データ生成部の応用例≫
【００２４】
図７、図８を参照し、制御部の応用例について述べる。
図７において、番組データ記録再生器１２１ａは図示しない記録媒体の再生位置情報を制御部１９ａに供給する結線がなされている。即ち、記録媒体には図４（Ａ）に示したように受信されるＣＭ部及び本編部が順に記録される。記録媒体の再生は、図４（Ｂ）に示すようにＣＭ部のみがアクセスされて再生された後に本編部のみをアクセスしながら再生する。制御部１９ａには、アクセスして再生される再生位置情報が供給される。
【００２５】
図８に示す制御部１９ａの再生位置検出器１９３は、再生位置情報を再生履歴情報として生成する。再生履歴情報は図６に示したＣＭａ〜ＣＭｅのそれぞれごとに生成される。特殊再生領域管理器１９２ａは、再生履歴情報の生成されたＣＭに対しては早送りやスキップなどの特殊再生の制限は行わないようにする。再生操作により再生履歴情報の生成されたＣＭは再生機能が制限されることなく再生される。
【００２６】
以上のように、本実施例で示した記録再生装置によれば、記録媒体に記録される本編部分、次の本編部分、及び挿入されたＣＭの記録開始位置を検出する記録位置検出手段（１４）と、記録位置検出手段で検出された記録開始位置を基に、挿入されたＣＭの全てを再生した後に、本編部分及び次の本編部分を続けて再生させるための再生制御情報を生成する再生制御データ生成手段（１６）と、再生制御データ生成手段で生成された再生制御情報に制御され、ＣＭの高速度再生命令又はＣＭのスキップ再生命令を無効として記録媒体に記録された番組信号を再生する再生手段（１９、１２１）とを備えるので、本編部にＣＭ部が挿入されて受信される受信番組のＣＭ部をスキップせずに再生させると共に、本編部はＣＭ挿入などで中断されることなく、連続して再生させることを可能とした記録再生装置を実現できる。
【図面の簡単な説明】
【００２７】
【図１】本発明の実施に係る記録再生装置の構成例を示すブロック図である。
【図２】本発明の実施に係る記録再生装置の細部の構成例を示すブロック図（その１）である。
【図３】本発明の実施に係る記録再生装置の細部の構成例を示すブロック図（その２）である。
【図４】本発明の実施に係る記録再生装置の動作例を説明するための図である。
【図５】本発明の実施に係る記録再生装置の細部の応用構成例を示すブロック図（その１）である。
【図６】本発明の実施に係る記録再生装置の応用動作例を説明するための図である。
【図７】本発明の実施に係る記録再生装置の細部の応用構成例を示すブロック図（その２）である。
【図８】本発明の実施に係る記録再生装置の細部の応用構成例を示すブロック図（その３）である。
【符号の説明】
【００２８】
１、１ａ    記録再生装置
１１    チューナ
１２、１２ａ    データ記録部
１３    デコーダ
１４    番組情報検出部
１５    チャプタ生成部
１６、１６ａ    再生制御データ生成部
１９、１９ａ    制御部
１２１、１２１ａ    番組データ記録再生器
１２２    制御データ記録器
１６１    シーン情報生成器
１６２    ＣＭシーン検出器
１６３    再生順データ生成器
１６４    ＣＭＩＤ生成器
１６５    ＣＭＩＤ比較器
１９１    再生順データ取得器
１９２、１９２ａ    特殊再生領域管理器
１９３    再生位置検出器
１９４    操作命令検出器
１９５    特殊再生命令検出器
１９６    特殊再生位置管理器
１９７    標準再生命令検出器
１９８    再生命令発行器
【図１】
2008182399.tif 000003
【図２】
2008182399.tif 000004
【図３】
2008182399.tif 000005
【図４】
2008182399.tif 000006
【図５】
2008182399.tif 000007
【図６】
2008182399.tif 000008
【図７】
2008182399.tif 000009
【図８】
2008182399.tif 000010